(57)【特許請求の範囲】
【請求項１】
翼根側から翼先端側にかけてコード長が減少する翼本体部を備え、
該翼本体部は、半径位置を翼半径（翼直径の１／２）で除した無次元半径位置が０．６以上１．０以下とされた翼先端領域と、無次元半径位置が０．６未満とされた翼本体側領域とを有し、
該翼先端領域の翼断面における最大翼厚位置が、前記翼本体側領域の翼断面における最大翼厚位置よりも翼前縁側に位置されていることを特徴とする風車翼。
【請求項２】
前記翼先端領域にて、最大翼厚位置が翼先端に向かって翼前縁側に変位されていることを特徴とする請求項１に記載の風車翼。
【請求項３】
翼前縁のコード長位置を０％コード長および翼後縁のコード長位置を１００％コード長とした場合、
無次元半径位置が０．６以上０．９以下の領域で、最大翼厚位置が２５％コード長以上４０％コード長以下とされ、
無次元半径位置が１．０とされた位置で、最大翼厚位置が１０％コード長以上３０％コード長以下とされていることを特徴とする請求項２に記載の風車翼。
【請求項４】
無次元半径位置が０．７以上０．８５以下の領域で、最大翼厚位置が２６％コード長以上３６％コード長以下とされ、
無次元半径位置が１．０とされた位置で、最大翼厚位置が２０％コード長以上３０％コード長以下とされていることを特徴とする請求項３に記載の風車翼。
【請求項５】
前記翼先端領域は、各半径位置の翼断面における最大翼厚位置を半径方向に接続して形成される最大翼厚線が略直線状となるように、翼前縁が翼後縁側に変位していることを特徴とする請求項１から４のいずれかに記載の風車翼。
【請求項６】
翼先端における断面形状が対称翼型とされていることを特徴とする請求項１から５のいずれかに記載の風車翼。
【請求項７】
請求項１から６のいずれかに記載された風車翼と、
該風車翼の翼根側に接続され、該風車翼によって回転させられるロータと、
該ロータによって得られた回転力を電気出力に変換する発電機と、
を備えていることを特徴とする風力発電装置。
【発明の詳細な説明】
【技術分野】
【０００１】
本発明は、風車翼およびこれを備えた風力発電装置に関するものである。
【背景技術】
【０００２】
近年、発電時に温室効果ガスを排出しないクリーンエネルギーとして、風力発電装置が注目されている。風力発電装置は、風力によって風車翼を軸周りに回転させ、この回転力を電力に変換して発電出力を得る。
風力発電装置の発電出力は、軸端出力（翼が発生する出力）と、変換効率（軸受や発電機などの効率）との積で表される。また、軸端出力は次式で表され、翼効率が高く、翼直径が大きい翼であれば、発電量が向上する。
軸端出力=1/2×空気密度×風速^3×翼効率×π×（翼直径/2）^2
【０００３】
翼効率は、理論上の上限値（ベッツ限界=0.593）が存在し、実際上は風車後流の影響と翼の空気抵抗の存在で上限値は0.5程度となる。したがって、翼効率のこれ以上の大幅な改善は難しい。
一方、翼直径はその自乗で出力に影響を持つため、発電量向上のためには翼直径の拡大が効果的である。しかし、翼直径の拡大は、空力荷重（流入方向に作用するスラスト力および翼根に伝わるモーメント）の増大に繋がるため、ロータヘッド、ナセル、タワーなどの機器の大型化や重量増大、ひいてはコスト増に繋がる懸念・傾向がある。さらに、翼直径の拡大は、翼先端における周速の増大によって空力騒音の増加に繋がる。したがって、翼直径を拡大せずに、性能向上および騒音低下を実現する空力技術が求められる。
【０００４】
一般に、風車翼は、所定の周速比に対して所定の最適コード長を持ち、次式の関係がある（Wind Energy Handbook, John Wiley & Sons, p378）。
Copt／Ｒ×λ２×CLdesign×ｒ／Ｒ≒１６／９×π／ｎ    ・・・（１）
ここで、Coptは最適コード長，Ｒ（翼半径）は翼直径の２分の１，λは設計周速比，CLdesignは設計揚力係数，ｒは翼断面の半径位置，ｎは翼枚数である。
設計周速比は、翼端周速／無限上流風速である。設計揚力係数は、翼型（翼断面）の揚抗比（揚力／抗力）が最大となる迎角における揚力係数であり、翼型（翼断面）の（空力）形状と流入条件（レイノルズ数）によって決まる。
図１３には、本明細書にて用いるレイノルズ数の定義が示されている。同図に示されているように、風車におけるレイノルズ数は、所定の回転数で回転する翼の所定断面Ａ−Ａにおける相対風速度を考慮したものであり、下式にて表される。
レイノルズ数＝空気密度×翼断面への相対風速度×翼断面のコード長／空気の粘性係数
【０００５】
下記特許文献１には、風車出力向上のための翼型が開示されている。具体的には、翼厚比が１４％から４５％の範囲で設計揚力係数が１．１０〜１．２５の範囲とされた翼型が開示されている（請求項１参照）。
【先行技術文献】
【特許文献】
【０００６】
【特許文献１】欧州特許出願公開第１１５２１４８号明細書
【発明の概要】
【発明が解決しようとする課題】
【０００７】
図１４には、上式（１）の関係が示されている。同図において、横軸は無次元半径、縦軸は無次元コード長を示す。無次元半径は、回転中心からの翼断面の半径位置ｒを翼半径Ｒで除した値（ｒ／Ｒ）である。無次元コード長は、翼断面のコード長ｃを翼半径Ｒで除した値（ｃ／Ｒ）である。
同図には、上式（１）から得られる設計揚力係数CLdesignが一定とされた曲線が複数示されている。設計揚力係数CLdesignが一定の曲線は、上式（１）を満たすので、空力特性の観点から、その設計周速比における最適コード長（縦軸）を与える。なお、同図では、設計周速比が８．０以上８．５以下、レイノルズ数が３００万以上１０００万以下とされている。
このように、「半径位置と設計周速比が定まれば性能最適となる最適コード長（無次元）が式（１）によって与えられる。」、または、「半径位置と設計コード長を定めれば、翼型（翼断面）の性能最適となる設計揚力係数が式（１）によって与えられる。」ということが導かれる。例えば、無次元半径ｒ／Ｒ=0.6となる位置では、無次元コード長ｃ／Ｒ=0.04が性能最適となる設計揚力係数は1.15である。
【０００８】
図１５には、上式（１）によって導かれる最適なコード長分布と実際のコード長分布（太線）を示す。翼先端領域では、実際のコード長は０（ゼロ）に漸近するため、最適なコード長と実際のコード長の乖離が大きくならざるを得ず、効率損失が発生することになる。
そこで、翼先端領域において空力性能を向上させ、かつ、空力騒音を低減するための空力設計技術が求められる。
【０００９】
本発明は、このような事情に鑑みてなされたものであって、翼先端領域における空力性能を向上させるとともに空力騒音を低減することができる風車翼およびこれを備えた風力発電装置を提供することを目的とする。
【課題を解決するための手段】
【００１０】
上記課題を解決するために、本発明の風車翼およびこれを備えた風力発電装置は以下の手段を採用する。
すなわち、本発明にかかる風車翼は、翼根側から翼先端側にかけてコード長が減少する翼本体部を備え、該翼本体部は、半径位置を翼半径（翼直径の１／２）で除した無次元半径位置が０．６以上１．０以下とされた翼先端領域と、無次元半径位置が０．６未満とされた翼本体側領域とを有し、該翼先端領域の翼断面における最大翼厚位置が、前記翼本体側領域の翼断面における最大翼厚位置よりも翼前縁側に位置されていることを特徴とする。
【００１１】
本発明者は、数値シミュレーションにより、翼断面における最大翼厚位置を種々変化させて性能を検討した。その結果、最大翼厚位置が翼前縁側に位置するほど、設計揚力係数および最大揚抗比が増大することによって空力性能が向上し、境界層厚さ（排除厚さ）が減少することによって騒音が減少することが分かった。
一方、最大翼厚位置を前方に配置すると、相対的に翼後縁の厚さが薄くなり、風車翼に加わる荷重によって生じるエッジモーメントに対して、翼後縁強度が低下してしまう。
これに対して、本発明では、翼根側を中心として回転する風車翼の場合には、翼先端側では翼根側に比べてエッジモーメントが小さく、最大翼厚位置が前方に配置されていても翼後縁付近の強度は大きな問題にならないことに着目した。
そこで、無次元半径位置が０．６以上１．０以下とされた翼先端領域の最大翼厚位置を、無次元半径位置が０．６未満とされた翼本体側領域の最大翼厚位置よりも翼前縁側に位置することとした。これにより、翼先端領域の空力性能を向上させるとともに、最も周速が大きく騒音の主要因となる翼先端領域の空力騒音を効果的に低減することができる。
【００１２】
さらに、本発明の風車翼では、前記翼先端領域にて、最大翼厚位置が翼先端に向かって翼前縁側に変位されていることを特徴とする。
【００１３】
コード長が小さくなり翼本体側領域と同一の翼断面を維持できずに設計揚力係数を低下させざるを得ない翼先端付近であっても、最大翼厚位置を翼先端側ほど翼前縁側に変位（シフト）させることによって、設計揚力係数および最大揚抗比を増大させて空力性能を向上させることができる。同時に、周速が大きくなり騒音が大きくなる翼先端側ほど効果的に空力騒音を低下させることができる。
【００１４】
さらに、先端領域では、無次元半径位置が０．６以上０．９以下の領域で、最大翼厚位置が２５％コード長以上４０％コード長以下とされ、無次元半径位置が１．０とされた位置で、最大翼厚位置が１０％コード長以上３０％コード長以下とされていることが好ましい。
【００１５】
さらに、無次元半径位置が０．７以上０．８５以下の領域で、最大翼厚位置が２６％コード長以上３６％コード長以下とされ、無次元半径位置が１．０とされた位置で、最大翼厚位置が２０％コード長以上３０％コード長以下とされていることが好ましい。
【００１６】
さらに、本発明の風車翼では、前記翼先端領域は、各半径位置の翼断面における最大翼厚位置を半径方向に接続して形成される最大翼厚線が略直線状となるように、翼前縁が翼後縁側に変位していることを特徴とする。
【００１７】
最大翼厚位置には、風車翼の強度を主として負担する桁が半径方向に延在して設けられる。したがって、各半径位置の翼断面における最大翼厚位置を半径方向に接続して形成される最大翼厚線は半径方向に略直線状となるように位置していることが好ましい。
本発明では、翼先端領域において翼本体側領域よりも最大翼厚位置を翼前縁側に位置させる場合であっても、翼前縁を翼後縁側に変位させることによって、最大翼厚線を半径方向に略直線状に維持することができる。
本発明の風車翼の翼前縁形状は、例えば、風車翼を背側または腹側から平面視した場合、翼本体部側領域から翼先端領域に遷移する領域で翼後縁側に大きく変位し、その後、翼先端側に向かって緩やかに翼後縁側に変位し、最終的に翼先端に接続されるように翼後縁側に変位するような、いわゆるＳ字形状となる。
また、本発明のように翼前縁を翼後縁側に変位させると（特にＳ字形状とすると）、翼後縁が丸みを帯びてより大きな曲率を有する形状とすることができる。これにより、翼先端領域の翼後縁から発生する空力騒音の位相を翼半径方向にずらすことができ、さらに騒音低減を図ることができる。
【００１８】
さらに、本発明の風車翼では、翼先端における断面形状が対称翼型とされていることを特徴とする。
【００１９】
翼先端における断面形状を対称翼型とし、すなわちキャンバーが０とされた翼型とすることとした。これにより、翼厚が薄く複雑な形状の製造が困難な翼先端側であっても製造が容易となる。
好ましくは、翼先端領域の翼先端側では、翼先端でキャンバーが０になるように、翼先端に向かってキャンバーが０に漸近する翼型とされている。
【００２０】
また、本発明の風力発電装置は、上記のいずれかに記載された風車翼と、該風車翼の翼根側に接続され、該風車翼によって回転させられるロータと、該ロータによって得られた回転力を電気出力に変換する発電機とを備えていることを特徴とする。
【００２１】
上述した風車翼を備えているので、空力性能向上によって出力が増大し、空力騒音が低減された風力発電装置を提供することができる。
【発明の効果】
【００２２】
本発明によれば、翼先端領域の最大翼厚位置を、翼本体側領域の最大翼厚位置よりも翼前縁側に位置することとしたので、翼先端領域の空力性能を向上させるとともに、翼先端領域の空力騒音を効果的に低減することができる。
【図面の簡単な説明】
【００２３】
【図１】風車翼の代表的形状を示した斜視図である。
【図２】図１の各翼厚比における断面を示した図である。
【図３】図１の各翼厚比における翼型を示した図である。
【図４】本発明の一実施形態にかかる翼形状を示した平面図である。
【図５】各半径位置における最大翼厚位置を示した翼断面図である。
【図６】最大翼厚位置に対する設計揚力係数を示したグラフである。
【図７】最大翼厚位置に対する最大揚抗比を示したグラフである。
【図８】最大翼厚位置に対する境界層厚さ（排除厚さ）を示したグラフである。
【図９】本発明の第２実施形態にかかる風車翼の各半径位置における最大翼厚位置を示した翼断面図である。
【図１０】本発明の第２実施形態にかかる風車翼の先端領域を示した平面図である。
【図１１】従来の風車翼を示した平面図である。
【図１２】比較例としての風車翼の先端領域を示した平面図である。
【図１３】レイノルズ数の定義を示した説明図である。
【図１４】設計揚力係数の分布を無次元半径に対して示した図である。
【図１５】図１３に実際のコード長分布を示した図である。
【発明を実施するための形態】
【００２４】
以下に、本発明の風車翼およびこれを備えた風力発電装置にかかる実施形態について、図面を参照して説明する。
［第１実施形態］
第１実施形態にかかる風車翼は、風力発電装置の翼として好適に用いられる。風車翼は、例えば３枚設けられ、それぞれが約１２０°の間隔を有してロータに接続されている。好ましくは、風車翼の回転直径（翼直径）は６０ｍ以上とされ、ソリディティ（全翼投影面積／翼掃過面積）が０．２以上０．６以下の細長翼とされる。風車翼は、可変ピッチとされていても良いし、固定ピッチとされていても良い。
【００２５】
図１に示すように、風車翼１は三次元翼とされており、回転中心側である翼根側１ａから翼先端側１ｂに向かって延在している。
翼形状を定義する場合、同図に示されているように、各翼厚比（翼厚の最大値をコード長で除した値の百分率）の半径位置（翼の回転中心からの距離に相当する位置）においてＺ（翼の長手軸方向）＝一定の断面で切断した翼素断面を用いて表される。図１では、翼厚比が１８％，２１％，２４％，３０％，３６％，４２％の各半径位置にて切断した翼素断面が風車翼の形状の定義として用いられることが示されている。なお、風車翼１の半径位置を示す場合に、翼厚比に代えて、翼の回転中心からの距離に相当する半径位置ｒ（あるいは半径位置を翼半径で除した無次元半径位置ｒ／Ｒ）が用いられることもある。
【００２６】
図２には、図１の翼素断面をＸＹ平面（Ｚ軸に直交する平面）へ投影したものである。同図のように風車翼１の長手方向先端から見た場合、右側が翼前縁、左側が翼後縁となる。同図に示されているように、風車翼は、翼根側から翼先端側にかけてコード長が減少する形状となっている。
図３は、風車翼１の各翼厚比における翼素断面に対して、その翼前縁をＸ＝０，Ｙ＝０、翼後縁をＸ＝１，Ｙ＝０で正規化したものである。同図のように表された形状を翼型という。
【００２７】
図４に示すように、本実施形態の風車翼１は、半径位置ｒを翼半径Ｒ（翼直径の１／２）で除した無次元半径位置ｒ／Ｒが０．６以上１．０以下とされた翼先端領域３と、無次元半径位置が０．６未満とされた翼本体側領域５とを有している。そして、翼先端領域５の翼断面における最大翼厚位置が、前記翼本体側領域７の翼断面における最大翼厚位置よりも翼前縁９側に位置されている。
【００２８】
具体的には、図５に示した各翼断面に示すように、翼前縁のコード長位置を０％コード長および翼後縁のコード長位置を１００％コード長とした場合、翼根側から翼先端側に向かって、最大翼厚位置が例えば４０％コード長から、３６％コード長、３０％コード長、２４％コード長、２０％コード長といったように翼前縁側に変位（シフト）している。なお、同図において線分Ｌ１が最大翼厚位置を示している。同図に示した風車翼の場合には、翼本体側領域５における最大翼厚位置は４０％コード長以上とされる。
同図に示したように、最大翼厚位置が翼先端７（図４参照）に向かって翼前縁９側に漸次変位されていることが好ましい。
【００２９】
好ましくは、翼先端領域３における最大翼厚位置は、無次元半径位置が０．６以上０．９以下の領域で、２５％コード長以上４０％コード長以下とされ、無次元半径位置が１．０とされた位置（すなわち翼先端７の位置）で、１０％コード長以上３０％コード長以下とされている。
さらに好ましくは、翼先端領域３における最大翼厚位置は、無次元半径位置が０．７以上０．８５以下の領域で、２６％コード長以上３６％コード長以下とされ、無次元半径位置が１．０とされた位置で、２０％コード長以上３０％コード長以下とされている。
【００３０】
また、翼先端７では、対称翼型が採用されている。すなわちキャンバーが０とされた翼型とされている。これにより、翼厚が薄く複雑な形状の製造が困難な翼先端側であっても製造が容易となる。
好ましくは、翼先端領域３の翼先端７側では、翼先端７でキャンバーが０になるように、翼先端７に向かってキャンバーが０に漸近する翼型とされている。
【００３１】
次に、本実施形態のように、翼先端領域３の最大翼厚位置を、翼本体部側領域５の最大翼厚位置よりも翼前縁９側に位置させることとした理由について説明する。
図６乃至図８には、最大翼厚位置を２４％コード長から３６％コード長まで変化させた場合の翼型について数値シミュレーションを行った結果が示されている。数値シミュレーションの条件としては、設計周速比を８．０以上８．５以下、レイノルズ数を３００万以上１０００万以下とした。
これらの図から分かるように、翼先端領域３の最大翼厚位置を、翼本体部側領域５の最大翼厚位置よりも翼前縁９側に位置させると、設計揚力係数および最大揚抗比が増大することによって空力性能が向上し、境界層厚さ（排除厚さ）が減少することによって騒音が減少することが分かる。
【００３２】
以上の通り、本実施形態によれば以下の作用効果を奏する。
数値シミュレーションにより、翼断面における最大翼厚位置を種々変化させて性能を検討した結果、最大翼厚位置が翼前縁９側に位置するほど、設計揚力係数および最大揚抗比が増大することによって空力性能が向上し、境界層厚さ（排除厚さ）が減少することによって騒音が減少することが分かった。
一方、最大翼厚位置を翼前縁９側に配置すると、相対的に翼後縁１１の厚さが薄くなり、風車翼１に加わる荷重によって生じるエッジモーメントに対して、翼後縁１１の強度が低下してしまうおそれがある。
これに対して、本実施形態では、翼先端７側では翼根側に比べてエッジモーメントが小さく、最大翼厚位置が翼前縁９側に配置されていても翼後縁１１付近の強度は大きな問題にならないことに着目した。
そこで、本実施形態では、翼先端領域３の最大翼厚位置を、翼本体側領域５の最大翼厚位置よりも翼前縁９側に位置することとした。これにより、翼先端領域３の空力性能を向上させるとともに、最も周速が大きく騒音の主要因となる翼先端領域の空力騒音を効果的に低減することができる。
【００３３】
また、コード長が小さくなり翼本体側領域５と同一の翼断面を維持できずに設計揚力係数を低下させざるを得ない翼先端７付近であっても、最大翼厚位置を翼先端７側ほど翼前縁９側に変位（シフト）させることによって、設計揚力係数および最大揚抗比を増大させて空力性能を向上させることができる。同時に、周速が大きくなり騒音が大きくなる翼先端７側ほど効果的に空力騒音を低下させることができる。
【００３４】
また、風車翼の翼根側に接続され、風車翼によって回転させられるロータと、ロータによって得られた回転力を電気出力に変換する発電機とを備えた風力発電装置に対して、本実施形態にかかる風車翼１を適用することにより、空力性能向上によって出力が増大し、空力騒音が低減された風力発電装置を実現することができる。
【００３５】
［第２実施形態］
次に、本発明の第２実施形態について説明する。本実施形態は、第１実施形態に対して、各半径位置の翼断面における最大翼厚位置を翼半径方向に接続して形成される最大翼厚線を、翼先端領域３の翼前縁９の形状によって適正化する点が異なり、その他の点、すなわち翼先端領域の最大翼厚位置を翼本体部側領域の最大翼厚位置よりも翼前縁側に位置させる点等については同様である。したがって、以下では相違点について説明し、同様の点については説明を省略する。
【００３６】
図９には、本実施形態に係る風車翼の各半径位置における最大翼厚位置が示されている。同図における線分Ｌ２は、最大翼厚位置を示す。この最大翼厚位置は、各半径位置において、翼回転中心からみて同じ角度位置となるように配置されている。これは、同図に示されているように、翼先端側に行くにつれて翼前縁９を翼後縁１１側に変位させることによって実現されている。これにより、各半径位置の翼断面における最大翼厚位置を半径方向に接続して形成される最大翼厚線が風車翼の半径方向に略直線状となるように配置されている。
図１０には、図９のように翼前縁９を翼後縁１１側に変位させることによって、略直線状となった最大翼厚線１３が示されている。翼先端領域３における翼前縁９は、同図に示されているように、翼本体部側領域５から翼先端領域３に遷移する遷移領域１５で翼後縁１１側に大きく変位し、遷移領域１５に接続された接続領域１６で翼先端７側に向かって緩やかに翼後縁側に変位し、接続領域１６に接続された終端領域１７で最終的に翼先端７に接続されるように翼後縁１１側に変位するような、いわゆるＳ字形状とされている。
【００３７】
このように、最大翼厚線１３を半径方向に略直線状に延在させることによって、以下の作用効果を奏する。
一般に、最大翼厚位置には、風車翼の強度を主として負担する桁が半径方向に延在して設けられる。例えば、図１１に示すように、従来の風車翼では、最大翼厚線１３’は半径方向に直線状に形成されている。直線状の桁とすることによって、製造が容易となるからである。同図では、翼先端領域においても翼本体部側領域と同じ最大翼厚位置となっている。
しかし、第１実施形態で説明したように、翼先端領域３の最大翼厚位置を、翼本体部側領域５の最大翼厚位置よりも翼前縁９側に位置させた場合、図１１と同様の翼前縁形状および翼後縁形状を採用しようとすると、図１２に示すように、翼先端領域３において最大翼厚線１３”が直線形状を維持することができず曲線状となってしまう。
【００３８】
そこで、本実施形態では、翼前縁９を翼後縁１１側に変位させることによって最大翼厚線１３を略直線状とすることとした（図１０参照）。これにより、略直線状の桁を採用することができ、製造が容易となる。また、着雷点となるレセプタを最大翼厚位置に配置する場合にも、略直線状にレセプタを配置すればよいので、製造が容易となる。
【００３９】
また、図１０に示されているように、本実施形態のように翼先端領域３における翼前縁９を翼後縁１１側に変位させると（特に翼前縁９をＳ字形状とすると）、翼後縁１１が丸みを帯びてより大きな曲率を有する形状とすることができる（同図の領域１９参照）。これにより、翼先端領域３の翼後縁１１から発生する空力騒音の位相を翼半径方向にずらすことができ、さらに騒音低減を図ることができる。
【００４０】
なお、本実施形態では、設計周速比を８．０以上８．５以下としたが、本発明はこれに限定されず、例えば設計周速比が６．０以上９．０以下であっても適用することができる。
【符号の説明】
【００４１】
１  風車翼
１ａ  翼根側
１ｂ  翼先端側
３  翼先端領域
５  翼本体側領域
７  翼先端
９  翼前縁
１１  翼後縁
１３  最大翼厚線
【図１】
0005479388.tif 000002
【図２】
0005479388.tif 000003
【図３】
0005479388.tif 000004
【図４】
0005479388.tif 000005
【図５】
0005479388.tif 000006
【図６】
0005479388.tif 000007
【図７】
0005479388.tif 000008
【図８】
0005479388.tif 000009
【図９】
0005479388.tif 000010
【図１０】
0005479388.tif 000011
【図１１】
0005479388.tif 000012
【図１２】
0005479388.tif 000013
【図１３】
0005479388.tif 000014
【図１４】
0005479388.tif 000015
【図１５】
0005479388.tif 000016